(57)【要約】  照明制御のための方法及び装置が開示される。１つ以上のＬＥＤ３２３、３２７の上の光学素子１１０、３１０、３１２、７１０Ａ〜Ｅ、７１２、８１０の存在が特定され、また、光学素子の少なくとも１つの特性が特定される。光学素子に関連付けられ及び／又は光学素子によって覆われた光源の光出力の少なくとも１つの特性が、光学素子の特性に基づいて調整される。
2016510493.tif 000002
【特許請求の範囲】
【請求項１】
光学素子を少なくとも１つの光源と関連付ける方法であって、
複数のＬＥＤのうちの１つ以上の覆われたＬＥＤの上の光学素子の存在を特定するステップと、
前記光学素子を前記覆われたＬＥＤのうちの１つ以上のＬＥＤと関連付けるステップと、
前記光学素子の少なくとも１つの特性を特定するステップと、
前記光学素子の前記特性に基づき、前記関連付けられた覆われたＬＥＤのうちの、１つ以上のＬＥＤの少なくとも１つの照明特性を調整するステップと
を含む、方法。
【請求項２】
前記光学素子の特性を特定する前記ステップは、前記覆われたＬＥＤのうちの少なくとも１つのＬＥＤを介する前記光学素子の少なくとも１つの物理的特性のセンシングに基づく、請求項１に記載の方法。
【請求項３】
前記物理的特性は、前記光学素子のサイズ及び形状のうちの少なくとも１つを含む、請求項２に記載の方法。
【請求項４】
前記光学素子の前記特性は、前記関連付けられた覆われたＬＥＤのうちの１つ以上のＬＥＤが光出力を供給するか否か、前記関連付けられた覆われたＬＥＤのうちのいくつのＬＥＤが光出力を供給するか、前記関連付けられた覆われたＬＥＤによって供給される所望の照明タイプ、前記関連付けられた覆われたＬＥＤの所望の光出力強度、前記関連付けられた覆われたＬＥＤの所望の色温度、及び前記関連付けられた覆われたＬＥＤの所望の色のうちの少なくとも１つを示す、請求項１に記載の方法。
【請求項５】
前記所望の照明タイプは、バックライティング及びスポットライティングを含む、請求項４に記載の方法。
【請求項６】
前記複数のＬＥＤのうちの１つ以上の追加のＬＥＤの少なくとも１つの照明特性を調整するステップを更に含み、前記追加のＬＥＤは前記光学素子によって覆われていない、請求項１に記載の方法。
【請求項７】
前記追加のＬＥＤは、前記光学素子の前記追加のＬＥＤへの近さに基づき特定される、請求項６に記載の方法。
【請求項８】
前記追加のＬＥＤは、前記光学素子の直近を囲う、請求項７に記載の方法。
【請求項９】
前記追加のＬＥＤの少なくとも１つの照明特性を調整する前記ステップは、前記覆われたＬＥＤの前記追加のＬＥＤとの関連付けに基づく、請求項６に記載の方法。
【請求項１０】
前記光学素子の前記特定された少なくとも１つの特性に基づき前記追加のＬＥＤを特定するステップを更に含む、請求項６に記載の方法。
【請求項１１】
前記ＬＥＤのうちの覆われた第２のＬＥＤに被せられる少なくとも１つの追加の光学素子の位置に基づき前記追加のＬＥＤを特定するステップを更に含み、前記覆われた第２のＬＥＤは前記覆われたＬＥＤとは異なる、請求項６に記載の方法。
【請求項１２】
前記関連付けられた覆われたＬＥＤを前記光学素子と関連付ける前記ステップは、前記光学素子の少なくとも１つの物理的特性に基づく、請求項１に記載の方法。
【請求項１３】
前記関連付けられた覆われたＬＥＤを前記光学素子と関連付ける前記ステップは、
構成フェーズを開始するステップと、
前記関連付けられた覆われたＬＥＤの前記光学素子との関連付けを示す構成確認を前記構成フェーズ中に受け取るステップとを含む、請求項１に記載の方法。
【請求項１４】
前記構成確認は、リモート電子デバイスを介して受け取られる、請求項１３に記載の方法。
【請求項１５】
前記光学素子は、前記覆われたＬＥＤの上に接着的に取り付け可能である、請求項１に記載の方法。
【請求項１６】
前記光学素子は指向性光学素子であり、前記関連付けられた覆われたＬＥＤからの光出力を目標方向に方向付ける、請求項１に記載の方法。
【請求項１７】
前記光学素子はアクティブ光学素子であり、前記関連付けられた覆われたＬＥＤのうちの少なくとも一部をバックライティングのために使用する、請求項１に記載の方法。
【請求項１８】
前記関連付けられた覆われたＬＥＤのうちの少なくとも一部の光出力は、前記光学素子に給電するために取り込まれる、請求項１７に記載の方法。
【請求項１９】
アクティブディスプレイパネルと、
前記アクティブディスプレイパネルに結合され、前記アクティブディスプレイパネルにコンテンツ出力を提供する少なくとも１つのコントローラと、
前記アクティブディスプレイパネルに電気接続して給電する電源と
を含む、アクティブ光学素子であって、
前記アクティブ光学素子は、複数のＬＥＤの表面上に取り外し可能に取り付け可能であり、
前記アクティブ光学素子は、少なくとも１つの特定可能な特性を有し、前記特定可能な特性は、前記アクティブディスプレイパネルが前記ＬＥＤのうちの覆われたＬＥＤの上に取り外し可能に取り付けられるとき、１つ以上の前記覆われたＬＥＤの少なくとも１つの照明特性を調整するために使用される、アクティブ光学素子。
【請求項２０】
前記電源は、前記アクティブディスプレイパネルが前記覆われたＬＥＤの上に取り外し可能に取り付けられるとき、前記覆われたＬＥＤのうちの１つ以上のＬＥＤからの光出力を受け取る少なくとも１つの光捕集パネルを含む、請求項１９に記載のアクティブ光学素子。
【請求項２１】
前記光捕集パネルは、前記アクティブディスプレイパネルが前記覆われたＬＥＤの上に取り外し可能に取り付けられるとき、前記覆われたＬＥＤに面する、請求項２０に記載のアクティブ光学素子。
【請求項２２】
前記アクティブディスプレイパネルを囲い、前記電源を覆うフレームを更に含む、請求項１９に記載のアクティブ光学素子。
【請求項２３】
前記フレームは前記電源を収容する、請求項２２に記載のアクティブ光学素子。
【請求項２４】
メモリと、前記メモリ内に保存された命令を実行可能なコントローラとを含む照明装置であって、前記メモリ内に保存された命令は、
複数のＬＥＤのうちの１つ以上の覆われたＬＥＤの上の光学素子の存在を特定する命令と、
前記光学素子を前記覆われたＬＥＤのうちの１つ以上のＬＥＤと関連付ける命令と、
前記光学素子の少なくとも１つの特性を特定する命令と、
前記光学素子の前記特性に基づき、前記関連付けられた覆われたＬＥＤのうちの、１つ以上のＬＥＤの少なくとも１つの照明特性を調整する命令と
を含む、照明装置。
【請求項２５】
少なくとも１つの調整可能な照明特性を有する照明を生成する少なくとも１つの光源と、
光学素子の存在を感知可能な少なくとも１つのセンシングＬＥＤと、
前記光源及び前記センシングＬＥＤと電気通信する少なくとも１つのコントローラと
を含む、照明システムであって、
前記少なくとも１つのコントローラは、
複数のＬＥＤのうちの１つ以上の覆われたＬＥＤの上の光学素子の存在を特定し、
前記光学素子を前記覆われたＬＥＤのうちの１つ以上のＬＥＤと関連付け、
前記光学素子の少なくとも１つの特性を特定し、
前記光学素子の前記特性に基づき、前記関連付けられた覆われたＬＥＤのうちの、１つ以上のＬＥＤの少なくとも１つの照明特性を調整する、照明システム。
【発明の詳細な説明】
【技術分野】
【０００１】
［０００１］本発明は、一般的には照明制御を対象とする。より具体的には、本明細書が開示する様々な発明的方法及び装置は、取り付けられた光学素子の１つ以上の特定された特性に基づき、光出力の１つ以上の特性を制御することに関する。
【背景技術】
【０００２】
［０００２］デジタル照明技術、すなわち、発光ダイオード（ＬＥＤ：light-emitting diode）などの半導体光源に基づく照明は、従来の蛍光灯、ＨＩＤ灯、及び白熱灯の実現可能な代替を提供する。ＬＥＤの機能的な利点及び利益は、高いエネルギー変換及び光学的効率、耐性、より低い動作コスト、並びに他の多くのことを含む。ＬＥＤ技術の近年の発達は、多くの用途で様々な照明効果を可能にする効率的でロバストなフルスペクトル照明源を提供している。これらの照明源を具現化する器具の幾つかは、例えば参照により本明細書に援用する米国特許第６，０１６，０３８号及び第６，２１１，６２６号に詳細に論じられているように、様々な色、及び色変化する照明効果を生み出すために、赤色、緑色、及び青色など様々な色を発生することが可能な１つ以上のＬＥＤと、ＬＥＤの出力を個別に制御するためのプロセッサとを含む照明モジュールを特徴とする。
【０００３】
［０００３］ＬＥＤベース光源を含む照明システム等の照明システムでは、照明システムの１つ以上の光源を制御可能なことが望ましい。例えば、複数の光源のうちのどれが点灯されるか、どの期間中に１つ以上の光源が点灯されるか、及び／又は１つ以上の光源の１つ以上の照明パラメータを制御可能なことが望ましい場合がある。例えば、どの光源が指向性の光の供給において使用され、及び／又は、どの光源がバックライティングの供給において使用されるかを制御することが望ましい可能性がある。
【０００４】
［０００４］１つ以上の光源の構成中の直接指定は、照明パラメータの選択を可能にする。しかし、このような直接指定は、適用される照明を微調整する能力の欠如、新たに導入された環境的物体及び／若しくは既存の物体の再配置に適応するための柔軟性の欠如、並びに／又は特定の物体に対する照明パラメータの適合及び／若しくは調整の欠如等、１つ以上の欠点を有し得る。スマートフォン及びタブレット等のリモートデバイスも、１つ以上の光源の直接的な制御を可能にする。しかし、このような制御は、光源を制御するためにリモートデバイスを見つけなければならない、及び／又は、リモートデバイスの他の活動の妨害等、１つ以上の欠点を有し得る。また、例えば、リモートデバイスを介する指定は面倒な可能性があり、且つ／又は、望まれる制御の細度を提供しない可能性がある。直接指定及び／又はリモートデバイスの追加の及び／又は代替的な欠点が提示され得る。
【０００５】
［０００５］したがって、当該技術分野には、光出力の１つ以上の特性の制御を可能にし、オプションで既存の装置及び／又は方法の１つ以上の欠点を克服する方法及び装置を提供するニーズが存在する。
【発明の概要】
【発明が解決しようとする課題】
【０００６】
［０００６］本開示は照明制御を対象とする。より具体的には、本明細書に開示される様々な発明的方法及び装置は、取り付けられた光学素子の１つ以上の特定された特性に基づき光出力の１つ以上の特性を制御することに関する。例えば、一部の実施形態では、１つ以上の光源上の光学素子の存在が特定され、また、光学素子の少なくとも１つの特性が特定される。光学素子の特性に基づき、光学素子が被せられた光源の光出力の少なくとも１つの特性が調整される。
【課題を解決するための手段】
【０００７】
［０００７］一般的に、一側面では、光学素子を少なくとも１つの光源と関連付ける方法が提供され、方法は、複数のＬＥＤのうちの１つ以上の覆われたＬＥＤの上の光学素子の存在を特定するステップと、光学素子を覆われたＬＥＤのうちの１つ以上のＬＥＤと関連付けるステップと、光学素子の少なくとも１つの特性を特定するステップと、光学素子の特性に基づき、関連付けられた覆われたＬＥＤのうちの、１つ以上のＬＥＤの少なくとも１つの照明特性を調整するステップとを含む。
【０００８】
［０００８］一部の実施形態では、光学素子の特性を特定するステップは、覆われたＬＥＤのうちの少なくとも１つのＬＥＤを介する光学素子の少なくとも１つの物理的特性のセンシングに基づく。これらの実施形態の一部のバージョンでは、物理的特性は、光学素子のサイズ及び形状のうちの少なくとも１つを含む。
【０００９】
［０００９］一部の実施形態では、光学素子の特性は、関連付けられた覆われたＬＥＤのうちの１つ以上のＬＥＤが光出力を供給するか否か、関連付けられた覆われたＬＥＤのうちのいくつのＬＥＤが光出力を供給するか、関連付けられた覆われたＬＥＤによって供給される所望の照明タイプ、関連付けられた覆われたＬＥＤの所望の光出力強度、関連付けられた覆われたＬＥＤの所望の色温度、及び関連付けられた覆われたＬＥＤの所望の色のうちの少なくとも１つを示す。これらの実施形態の一部のバージョンでは、所望の照明タイプは、バックライティング及びスポットライティングを含み得る。
【００１０】
［００１０］一部の実施形態では、方法は、複数のＬＥＤのうちの１つ以上の追加のＬＥＤの少なくとも１つの照明特性を調整するステップを更に含み、追加のＬＥＤは光学素子によって覆われていない。これらの実施形態の一部のバージョンでは、追加のＬＥＤは、光学素子の追加のＬＥＤへの近さに基づき特定される。これらの実施形態の一部のバージョンでは、追加のＬＥＤは、光学素子の直近を囲う。これらの実施形態の一部のバージョンでは、追加のＬＥＤの少なくとも１つの照明特性を調整するステップは、覆われたＬＥＤの追加のＬＥＤとの関連付けに基づく。これらの実施形態の一部のバージョンでは、方法は、光学素子の特定された少なくとも１つの特性に基づき追加のＬＥＤを特定するステップを更に含む。これらの実施形態の一部のバージョンでは、方法は、ＬＥＤのうちの覆われた第２のＬＥＤに被せられる少なくとも１つの追加の光学素子の位置に基づき追加のＬＥＤを特定するステップを更に含み、覆われた第２のＬＥＤは覆われたＬＥＤとは異なる。
【００１１】
［００１１］一部の実施形態では、関連付けられた覆われたＬＥＤを光学素子と関連付けるステップは、光学素子の少なくとも１つの物理的特性に基づき、構成フェーズを開始するステップと、関連付けられた覆われたＬＥＤの光学素子との関連付けを示す構成確認を構成フェーズ中に受け取るステップとを含み得る。これらの実施形態の一部のバージョンでは、構成確認は、リモート電子デバイスを介して受け取られる。
【００１２】
［００１２］一部の実施形態では、光学素子は、覆われたＬＥＤの上に接着的に取り付け可能であり、且つ／又は、指向性光学素子であり、関連付けられた覆われたＬＥＤからの光出力を目標方向に方向付ける。光学素子は、関連付けられた覆われたＬＥＤのうちの少なくとも一部をバックライティングのために使用するアクティブ光学素子であり得る。これらの実施形態の一部のバージョンでは、関連付けられた覆われたＬＥＤのうちの少なくとも一部の光出力は、光学素子に給電するために取り込まれる。
【００１３】
［００１３］一般的に、他の側面では、アクティブ光学素子が提供され、アクティブ光学素子は、アクティブディスプレイパネルと、アクティブディスプレイパネルに結合され、アクティブディスプレイパネルにコンテンツ出力を提供する少なくとも１つのコントローラと、アクティブディスプレイパネルに電気接続して給電する電源とを含む。アクティブ光学素子は、複数のＬＥＤの表面上に取り外し可能に取り付け可能である。アクティブ光学素子は、少なくとも１つの特定可能な特性を有し、特定可能な特性は、アクティブディスプレイパネルがＬＥＤのうちの覆われたＬＥＤの上に取り外し可能に取り付けられるとき、１つ以上の覆われたＬＥＤの少なくとも１つの照明特性を調整するために使用される。
【００１４】
［００１４］一部の実施形態では、電源は、アクティブディスプレイパネルが覆われたＬＥＤの上に取り外し可能に取り付けられるとき、覆われたＬＥＤのうちの１つ以上のＬＥＤからの光出力を受け取る少なくとも１つの光捕集パネルを含む。これらの実施形態の一部のバージョンでは、光捕集パネルは、アクティブディスプレイパネルが覆われたＬＥＤの上に取り外し可能に取り付けられるとき、覆われたＬＥＤに面する。
【００１５】
［００１５］一部の実施形態では、アクティブ光学素子は、アクティブディスプレイパネルを囲い、電源を覆うフレームを更に含む。これらの実施形態の一部のバージョンでは、フレームは電源を収容する。
【００１６】
［００１６］一般的に、他の側面では、メモリと、メモリ内に保存された命令を実行可能なコントローラとを含む照明装置が提供される。メモリ内に保存された命令は、複数のＬＥＤのうちの１つ以上の覆われたＬＥＤの上の光学素子の存在を特定する命令と、光学素子を覆われたＬＥＤのうちの１つ以上のＬＥＤと関連付ける命令と、光学素子の少なくとも１つの特性を特定する命令と、光学素子の特性に基づき、関連付けられた覆われたＬＥＤのうちの、１つ以上のＬＥＤの少なくとも１つの照明特性を調整する命令とを含む。
【００１７】
［００１７］一般的に、他の側面では、少なくとも１つの調整可能な照明特性を有する照明を生成する少なくとも１つの光源と、光学素子の存在を感知するよう構成された少なくとも１つのセンシングＬＥＤと、光源及びセンシングＬＥＤと電気通信する少なくとも１つのコントローラとを含む、照明システムが提供される。少なくとも１つのコントローラは、複数のＬＥＤのうちの１つ以上の覆われたＬＥＤの上の光学素子の存在を特定し、光学素子を覆われたＬＥＤのうちの１つ以上のＬＥＤと関連付け、光学素子の少なくとも１つの特性を特定し、光学素子の特性に基づき、関連付けられた覆われたＬＥＤのうちの、１つ以上のＬＥＤの少なくとも１つの照明特性を調整する。
【００１８】
［００１８］他の実施形態は、プロセッサによって実行可能な、本明細書に記載される方法のうちの１つ又は複数等の方法を実行するための命令を保存する非一時的コンピュータ可読記憶媒体を含んでもよい。他の実施形態は、メモリと、メモリに保存される本明細書に記載される方法のうちの１つ又は複数等の方法を実行するための命令を実行するように動作可能な１つ又は複数のプロセッサとを含むシステムを含んでもよい。
【００１９】
［００１９］本開示の目的で本明細書において使用される場合、「ＬＥＤ」との用語は、任意のエレクトロルミネセンスダイオード、又は、電気信号に呼応して放射を発生できる及び／若しくはフォトダイオードとして動作できる、その他のタイプのキャリア注入／接合ベースシステム（carrier injection/junction-based system）を含むものと理解すべきである。したがって、ＬＥＤとの用語は、次に限定されないが、電流に呼応して発光する様々な半導体ベースの構造体、発光ポリマー、有機発光ダイオード（ＯＬＥＤ）、エレクトロルミネセンスストリップ等を含む。特に、ＬＥＤとの用語は、赤外スペクトル、紫外スペクトル、及び（通常、約４００ナノメートルから約７００ナノメートルまでの放射波長を含む）可視スペクトルの様々な部分のうちの１つ又は複数における放射を発生させることができるすべてのタイプの発光ダイオード（半導体及び有機発光ダイオードを含む）を指す。ＬＥＤの幾つかの例としては、次に限定されないが、様々なタイプの赤外線ＬＥＤ、紫外線ＬＥＤ、赤色ＬＥＤ、青色ＬＥＤ、緑色ＬＥＤ、黄色ＬＥＤ、アンバー色ＬＥＤ、橙色ＬＥＤ、及び白色ＬＥＤ（以下に詳しく述べる）がある。また、ＬＥＤは、所与のスペクトルに対して様々な帯域幅（例えば半波高全幅値（ＦＷＨＭ：full widths at half maximum））、及び所与の一般的な色分類内で様々な支配的波長を有する放射（例えば狭帯域幅、広帯域幅）を発生させるように構成及び／又は制御することができることを理解すべきである。 
【００２０】
［００２０］例えば本質的に白色光を生成するＬＥＤ（例えば白色ＬＥＤ）の一実施態様は、それぞれ、組み合わされることで混合して本質的に白色光を形成する様々なスペクトルのエレクトロルミネセンスを放射する複数のダイを含む。別の実施態様では、白色光ＬＥＤは、第１のスペクトルを有するエレクトロルミネセンスを異なる第２のスペクトルに変換する蛍光体材料に関連付けられる。この実施態様の一例では、比較的短波長で狭帯域幅スペクトルを有するエレクトロルミネセンスが、蛍光体材料を「ポンピング（pumps）」して、当該蛍光体材料は、いくぶん広いスペクトルを有する長波長放射を放射する。
【００２１】
［００２１］なお、ＬＥＤとの用語は、ＬＥＤの物理的及び／又は電気的なパッケージタイプを限定しないことを理解すべきである。例えば、上述した通り、ＬＥＤは、（例えば個々に制御可能であるか又は制御不能である）異なるスペクトルの放射をそれぞれ放射する複数のダイを有する単一の発光デバイスを指すこともある。また、ＬＥＤは、ＬＥＤ（例えばあるタイプの白色ＬＥＤ）の一体部分と見なされる蛍光体に関連付けられることもある。一般に、ＬＥＤとの用語は、パッケージＬＥＤ、非パッケージＬＥＤ、表面実装ＬＥＤ、チップ・オン・ボードＬＥＤ、ＴパッケージマウントＬＥＤ、ラジアルパッケージＬＥＤ、パワーパッケージＬＥＤ、あるタイプのケーシング及び／又は光学素子（例えば拡散レンズ）を含むＬＥＤ等を指す。
【００２２】
［００２２］「光源」との用語は、次に限定されないが、ＬＥＤベース光源（上記に定義した１つ以上のＬＥＤを含む）、白熱光源（例えばフィラメント電灯、ハロゲン電灯）、蛍光光源、りん光性光源、高輝度放電光源（例えばナトリウム蒸気ランプ、水銀蒸気ランプ、及びメタルハライドランプ）、レーザー、その他のタイプのエレクトロルミネセンス源、パイロルミネセンス源（例えば火炎）、キャンドルルミネセンス源（例えばガスマントル光源、カーボンアーク放射光源）、フォトルミネセンス源（例えばガス状放電光源）、電子飽和（electronic satiation）を使用する陰極発光源（cathode luminescent source）、ガルバノルミネセンス源、結晶発光（crystallo-luminescent）源、キネルミネセンス（kine-luminescent）源、熱ルミネセンス源、摩擦ルミネセンス（triboluminescent）源、音ルミネセンス（sonoluminescent）源、放射ルミネセンス（radioluminescent）源、及び発光ポリマー（luminescent polymers）を含む、様々な放射源のうちの任意の１つ以上を指すと理解すべきである。
【００２３】
［００２３］所与の光源は、可視スペクトル内、可視スペクトル外、又は両者の組合せでの電磁放射を発生する。したがって、「光」及び「放射」との用語は、本明細書では同義で使用される。更に、光源は、一体構成要素として、１つ以上のフィルタ（例えばカラーフィルタ）、レンズ、又はその他の光学的構成要素を含んでもよい。また、光源は、次に限定されないが、指示、表示、及び／又は照明を含む様々な用途に対し構成されることを理解すべきである。「照明源」とは、内部空間又は外部空間を効果的に照射するのに十分な強度を有する放射を発生するように特に構成された光源である。このコンテキストにおいて、「十分な強度」とは、周囲照明（すなわち、間接的に知覚され、また、例えば、全体的に又は部分的に知覚される前に１つ以上の様々な介在面から反射される光）を提供するために空間又は環境において発生される可視スペクトルにおける十分な放射強度（放射強度又は「光束」に関して、全方向における光源からの全光出力を表すために、単位「ルーメン」がよく使用される）を指す。
【００２４】
［００２４］「スペクトル」との用語は、１つ以上の光源によって生成された放射の任意の１つ以上の周波数（又は波長）を指すものと理解すべきである。したがって、「スペクトル」との用語は、可視範囲内の周波数（又は波長）のみならず、赤外線、紫外線、及び電磁スペクトル全体の他の領域の周波数（又は波長）も指す。更に、所与のスペクトルは、比較的狭い帯域幅（例えば、本質的に少数の周波数又は波長成分しか有さないＦＷＨＭ）、又は、比較的広い帯域幅（様々な相対強度を有する幾つかの周波数又は波長成分）を有してよい。また、所与のスペクトルは、２つ以上の他のスペクトルを混合（例えば、複数の光源からそれぞれ放射された放射を混合）した結果であってよいことを理解されたい。
【００２５】
［００２５］本開示の目的で、「色」との用語は、「スペクトル」との用語と同義に使用される。しかし、「色」との用語は、通常、観察者によって知覚可能である放射の特性を主に指すために使用される（ただし、この使用は、当該用語の範囲を限定することを意図していない）。したがって、「様々な色」との用語は、様々な波長成分及び／又は帯域幅を有する複数のスペクトルを暗に指す。更に、当然のことながら、「色」との用語は、白色光及び非白色光の両方との関連で使用されてもよい。
【００２６】
［００２６］「照明固定具」との用語は、本明細書では、特定の形状因子、アセンブリ、又はパッケージの１つ以上の照明ユニットの実施態様又は配置を指すために使用される。「照明ユニット」との用語は、本明細書では、同じ又は異なるタイプの１つ以上の光源を含む装置を指して使用される。所与の照明ユニットは、様々な光源の取り付け配置、筐体／ハウジング配置及び形状、並びに／又は、電気及び機械的接続構成の何れか１つを有してもよい。更に、所与の照明ユニットは、光源の動作に関連する様々な他の構成要素（例えば制御回路）に任意選択的に関連付けられてもよい（例えば含む、結合される、及び／又は一緒にパッケージされる）。「ＬＥＤベース照明ユニット」とは、上記した１つ以上のＬＥＤベースの光源を、単独で又はその他の非ＬＥＤベースの光源との組合せで含む照明ユニットを指す。「マルチチャネル」照明ユニットとは、それぞれ異なる放射スペクトルを発生する少なくとも２つの光源を含むＬＥＤベースの又は非ＬＥＤベースの照明ユニットを指すものであり、各異なる光源スペクトルは、マルチチャネル照明ユニットの「チャネル」と呼ばれる。
【００２７】
［００２７］「コントローラ」という用語は、本明細書では概して１つ又は複数の光源の動作に関係する様々な機器を表現するために使われる。コントローラは、本明細書で論じられる様々な機能を実行するために多数の方法で実装され得る（例えば専用ハードウェアによってなど）。「プロセッサ」は、本明細書で論じられる様々な機能を実行するためにソフトウェア（例えばマイクロコード）を使用してプログラムされ得る１つ又は複数のマイクロプロセッサを用いるコントローラの一例である。コントローラは、プロセッサを使って又は使わずに実装されてもよく、何らかの機能を実行するための専用ハードウェアと他の機能を実行するためのプロセッサとの組合せ（例えば１つ又は複数のプログラムされたマイクロプロセッサと関連する回路）としても実装され得る。本開示の様々な実施形態で使用され得るコントローラ部品の例は、これだけに限定されないが、従来のマイクロプロセッサ、特定用途向け集積回路（ＡＳＩＣ：application specific integrated circuit）、及び書替え可能ゲートアレイ（ＦＰＧＡ：field-programmable gate array）を含む。
【００２８】
［００２８］様々な実装形態において、プロセッサ又はコントローラは、１つ又は複数の記憶媒体（本明細書では一般に「メモリ」と呼ばれる、例えばＲＡＭ、ＰＲＯＭ、ＥＰＲＯＭやＥＥＰＲＯＭ、フロッピー（登録商標）ディスク、コンパクトディスク、光学ディスク、磁気テープなどの揮発性及び不揮発性コンピュータメモリ）に関連しても良い。一部の実装形態では、１つ若しくは複数のプロセッサ及び／又はコントローラ上で実行されるとき、本明細書で論じられる機能の少なくとも一部を実行する１つ又は複数のプログラムによって記憶媒体が符号化されても良い。本明細書で論じられる本発明の様々な態様を実施するために、様々な記憶媒体がプロセッサ若しくはコントローラ内に固定されてもよく、又は、記憶媒体上に記憶された１つ又は複数のプログラムがプロセッサ又はコントローラ内にロードされ得るように、可搬式とすることができる。「プログラム」又は「コンピュータプログラム」という用語は、本明細書では、１つ又は複数のプロセッサ又はコントローラをプログラムするために使用され得る任意の種類のコンピュータコード（例えばソフトウェアやマイクロコード）を指すために一般的な意味で使われる。
【００２９】
［００２９］「アドレス指定可能」という用語は、本明細書では、自身を含む複数の装置に宛てられた情報（例えばデータ）を受信し、自らを対象とする特定の情報に選択的に応答するように構成される装置（例えば全般的な光源、照明ユニットや照明固定具、１つ又は複数の光源若しくは照明ユニットに関連するコントローラやプロセッサ、他の照明に関係しない装置等）を指すために使われる。「アドレス指定可能」という用語は、複数の装置が何らかの通信媒体によって共に結合されるネットワーク化された環境（又は以下で更に論じられる「ネットワーク」）に関してしばしば使われる。
【００３０】
［００３０］あるネットワークの実装形態では、ネットワークに結合される１つ又は複数の装置が、そのネットワークに結合される１つ又は複数の他の装置用のコントローラの役割を（例えばマスタ／スレーブの関係で）果たし得る。別の実装形態では、ネットワーク化された環境が、ネットワークに結合される装置の１つ又は複数を制御するように構成される１つ又は複数の専用コントローラを含み得る。概して、ネットワークに結合される複数の装置は通信媒体上にあるデータにそれぞれアクセスすることができるが、例えば割り当てられる１つ又は複数の特定の識別子（例えば「アドレス」）に基づきネットワークと選択的にデータをやり取りする（すなわちデータを送受信する）ように構成されるという点で、所与の装置を「アドレス指定可能」としても良い。
【００３１】
［００３１］本明細書で使用するとき、「ネットワーク」という用語は、ネットワークに結合される２台以上の任意の装置間及び／又は複数の装置間の（例えば装置制御、データ記憶、データ交換等のための）情報の搬送を助ける、２台以上の装置（コントローラやプロセッサを含む）の任意の相互接続を指す。容易に理解されるように、複数の装置を相互接続するのに適したネットワークの様々な実装形態は、多岐にわたるネットワークトポロジーの何れかを含むことができ、多岐にわたる通信プロトコルの何れを使用しても良い。更に、本開示による様々なネットワークでは、２台の装置間の任意の１つの接続が２つのシステム間の専用接続、又は非専用接続に相当し得る。２台の装置を対象とした情報を運ぶことに加え、かかる非専用接続は必ずしも２台の装置の何れも対象としない情報を運ぶこともある（例えばオープンネットワーク接続）。更に、本明細書で論じられる装置の様々なネットワークは、ネットワーク全体にわたる情報搬送を助ける１つ又は複数の無線、有線／ケーブル、及び／又は光ファイバリンクを用いても良いことが容易に理解されよう。
【００３２】
［００３２］本明細書において使用される場合、用語「ユーザーインターフェイス」は、ユーザーとデバイスとの間の通信を可能にする、人間のユーザー又はオペレーターと１つ以上のデバイスとの間のインターフェイスを指す。本開示の多様な実施形態において使用され得るユーザーインターフェイスの例は、限定はされないが、スイッチ、ポテンショメータ、ボタン、ダイヤル、スライダー、マウス、キーボード、キーパッド、多様なゲームコントローラ（例えば、ジョイスティック）、トラックボール、表示画面、多様なグラフィカルユーザーインターフェイス（ＧＵＩ）、タッチスクリーン、マイク、及び人間が発する何らかの形態の刺激を受信し、それに応じて信号を生成し得る他の種類のセンサを含み得る。
【００３３】
［００３３］上記の概念及び以下でより詳細に論じられる更なる概念のあらゆる組合せが（かかる概念が互いに矛盾しないという条件で）、本明細書に開示される本発明の内容の一部として考えられることが理解されるべきである。とりわけ、本開示の最後に登場する特許請求の範囲に記載の内容のあらゆる組合せが、本明細書に開示される本発明の内容の一部として考えられる。参照により援用される任意の開示にも現れる可能性がある本明細書で明示的に用いられる専門用語には、本明細書で開示される特定の概念に最もふさわしい意味が与えられるべきことも理解されるべきである。
【図面の簡単な説明】
【００３４】
［００３４］図中、類似の参照符号は一般に様々な図面にわたり同じパーツを指す。また、図面は必ずしも縮尺通りではなく、通常、むしろ本発明の原理を説明することに重点が置かれる。
【００３５】
【図１】［００３５］図１は、コントローラ、ＬＥＤ、及び光学素子を有するＬＥＤベース照明システムの一実施形態のブロック図を示す。
【図２】［００３６］図２は、光学素子を１つ以上のＬＥＤと関連付ける方法の例のフローチャートを示す。
【図３】［００３７］図３は、ＬＥＤの表面及びＬＥＤの表面に取り付けられた光学素子の例を示す。
【図４】［００３８］図４は、図４のＬＥＤの表面の一部及びＬＥＤの表面の例から離れるよう分解された図４の光学素子のうちの１つの分解斜視図を示す。
【図５】［００３９］図５は、光学素子の例の側面図を示す。
【図６Ａ−６Ｂ】［００４０］図６Ａ及び図６Ｂは、光出力を生成しているＬＥＤの上に設けられた光学素子の例のアラインメント部を示す。
【図７】［００４１］図７は、ＬＥＤの表面及びＬＥＤの表面に取り付けられた光学素子の他の例を示す。
【図８Ａ】［００４２］図８Ａは、アクティブ光学素子の例を示す。
【図８Ｂ】［００４３］図８Ｂは、図８Ａのアクティブ光学素子のブロック図を示す。
【発明を実施するための形態】
【００３６】
［００４４］ＬＥＤベース光源を含む照明システム等の照明システムでは、照明システムの１つ以上の光源を制御可能なことが望ましい。例えば、１つ以上の光源の照明シーン、照明方向、照明カラー、照明強度、ビーム幅、ビーム角、及び／又は他のパラメータを制御可能なことが望ましい可能性がある。１つ以上の光源の構成中の直接指定並びに／又はスマートフォン及びタブレットは、それぞれ、１つ以上の照明パラメータの指定を可能にし得る。しかし、直接指定は、適用される照明を微調整する能力の欠如、柔軟性の欠如、及び／又は照明パラメータの適合の欠如等、１つ以上の欠点を有し得る。また、スマートフォン及び／又はタブレットは、光源を制御するためにリモートデバイスを見つけなければならない、及び／又は、リモートデバイスの他の活動の妨害等、１つ以上の欠点を有し得る。
【００３７】
［００４５］したがって、出願人は、光出力の１つ以上の特性の制御を可能にし、オプションで既存の装置及び／又は方法の１つ以上の欠点を克服する方法及び装置を提供することのニーズが当該技術分野に存在することを認識及び理解した。
【００３８】
［００４６］より一般的には、出願人は、取り付けられた光学素子の１つ以上の特定された特性に基づき光出力の１つ以上の特性を制御することに関する様々な発明的方法及び装置を提供することは有益であろうことを認識及び理解した。
【００３９】
［００４７］上記に鑑みて、本発明の様々な実施形態及び実装形態は、照明制御を対象とする。
【００４０】
［００４８］以下の詳細な説明では、特許請求される発明を完全に理解できるように、限定ではなく説明の目的で、特定の詳細を開示する代表的な実施形態が記載される。しかしながら、本明細書に開示される特定の詳細からは逸脱する本教示に従う他の実施形態も添付の特許請求の範囲の範囲内にあることは、本開示の利益を享受した当業者には明らかであろう。更に、よく知られている装置及び方法の説明は、代表的な実施形態の説明を曖昧にしないように省略され得る。そのような方法及び装置は、明らかに、特許請求される発明の範囲内にある。例えば、本明細書に開示される方法及び装置の側面は、ＬＥＤベース光源のみを有する照明システムに関連して記載される。しかし、本明細書に記載される方法及び装置の１つ以上の側面は、ＬＥＤではない他の光源を追加で及び／又は代替的に含む他の照明システムにおいて実装されてもよい。本明細書に記載される１つ以上の側面の異なる構成の環境における実装は、特許請求の発明の範囲又は趣旨から逸脱することなく考慮される。また、例えば、本明細書に開示される方法及び装置の側面は、単一のコントローラ及び単一の照明ユニットに関連して記載される。しかし、本明細書に記載される方法及び装置の１つ以上の側面は、複数のコントローラ及び／又は複数の照明ユニットを含み得る他の照明システムにおいて実装されてもよい。
【００４１】
［００４９］図１は、ＬＥＤベース照明システム１００の一実施形態のブロック図を示す。照明システム１００は、少なくとも１つのＬＥＤベース照明ユニット１３０の複数のＬＥＤを制御するコントローラ１２０を含む。ＬＥＤベース照明ユニット１３０は、光出力を生成するよう構成された１つ以上のＬＥＤを含む。ＬＥＤベース照明ユニット１３０のＬＥＤの制御は、光学素子１１０の特性及び／又はＬＥＤベース照明ユニット１３０上の光学素子１１０の取り付け位置に少なくとも部分的に基づく。
【００４２】
［００５０］一部の実施形態では、光学素子１１０の取り付け位置及び／又は特性は、ＬＥＤベース照明ユニット１３０のＬＥＤを介してコントローラ１２０に伝達され得る。例えば、本明細書に記載されるように、一部の実施形態では、ＬＥＤはセンシングモードで動作可能な１つ以上のＬＥＤを含み、これらのＬＥＤは光学素子１１０の存在及び／又は特性を感知して、その存在をコントローラ１２０に伝達することができる。一部の実施形態では、光学素子１１０の存在及び／又は特性は、追加で及び／又は代替的に、ＬＥＤを使用せずに光学素子１１０によってコントローラ１２０に伝達されてもよい。例えば、光学素子１１０は１つ以上の無線通信装置及び方法を使用してコントローラ１２０と直接通信してもよい。
【００４３】
［００５１］一部の実施形態では、ＬＥＤベース照明ユニット１３０のＬＥＤからの１つ以上の読み取りによって光学素子１１０の初期構成が達成され得る。例えば、一部の実施形態では、ＬＥＤは光学素子１１０の存在の検出、光学素子１１０の特定のＬＥＤの制御との関連付け、及び／又は光学素子１１０の照明制御特性の特定において使用されてもよい。
【００４４】
［００５２］コントローラ１２０は、光学素子１１０の特定された存在及び／又は１つ以上の特性に少なくとも部分的に基づき、ＬＥＤベース照明ユニット１３０を制御する。一部の実施形態では、ＬＥＤベース照明ユニット１３０のＬＥＤは１つ以上のドライバによって駆動され、コントローラ１２０は１つ以上のドライバと通信してＬＥＤを制御する。一部の実施形態では、コントローラ１２０はＬＥＤベース照明ユニット１３０のドライバの一部を形成し得る。一部の実施形態では、コントローラ１２０はＬＥＤベース照明ユニット１３０の１つ以上のローカルコントローラと通信してＬＥＤを制御する。例えば、それぞれがＬＥＤベース照明ユニット１３０の１つ以上のＬＥＤを制御する複数のローカルコントローラが提供されてもよい。一部の実施形態では、コントローラ１２０自体が複数のローカルコントローラを含み、それぞれがＬＥＤベース照明ユニット１３０の１つ以上のＬＥＤを制御してもよい。コントローラ１２０はＬＥＤベース照明ユニット１３０の単一のＬＥＤのグループを制御してもよく、又は複数のＬＥＤのグループを制御してもよい。複数のコントローラを含む実施形態は、オプションで、複数のコントローラ間の有線及び／又は無線通信を含み得る。
【００４５】
［００５３］一部の実施形態では、ＬＥＤベース照明ユニット１３０は、それぞれが１つ以上のＬＥＤを含む複数のＬＥＤグループを含み得る。例えば、一部の実施形態では、ＬＥＤグループはそれぞれ少なくとも１つのＬＥＤの表面及び／又はＬＥＤの表面の１つ以上の部分を含み得る。ＬＥＤの表面は平面、曲面、多面、及び／又は１つ以上のＬＥＤを含む他の表面を含み得る。ＬＥＤの表面の例の一部は、壁、天井、床、柱（例えば円柱、四角柱、楕円柱）を含む。各ＬＥＤグループの制御の１つ以上の側面は、各ＬＥＤグループに特有であってもよい。ＬＥＤベース照明ユニット１３０は、光学素子１１０の存在を検出し、光学素子１１０を特定のＬＥＤと関連付け、及び／又は光学素子１１０の照明制御特性を特定するために使用される１つ以上のセンサを更に含み得る。一部の実施形態では、光学素子１１０の存在を検出し、光学素子１１０を特定のＬＥＤと関連付け、及び／又は光学素子１１０の照明制御特性を特定するために使用される１つ以上のセンサは、自身に入射する光を感知するよう構成され得るＬＥＤベース照明ユニット１３０の１つ以上のＬＥＤを含み得る。一部の実施形態では、光を感知するよう構成されたＬＥＤは、更に、光出力を生成するよう構成され得る。例えば、ＬＥＤは第１のモードにおいて光出力を生成し、第１のモードで無いときに光を感知可能であってもよい。
【００４６】
［００５４］図２を参照して、光学素子を１つ以上のＬＥＤと関連付ける方法の例のフローチャートが示されている。他の実装形態はステップを異なる順番で実行し、特定のステップを省き、且つ／又は図２に示されているステップとは異なるステップ及び／又は追加のステップを実行し得る。便宜上、方法を実行することができる照明システムの１つ以上のコンポーネントに関連して図２の側面を説明する。コンポーネントは、例えば図１の照明システム１００の１つ以上のコンポーネント及び／又は図３乃至図８Ｂの１つ以上のコンポーネントを含み得る。したがって、便宜上、図２に関連して図１及び図３乃至図８Ｂの側面が説明される。
【００４７】
［００５５］ステップ２００において、ＬＥＤの表面上に結合された光学素子が特定される。例えば、図１を参照して、ＬＥＤベース照明ユニット１３０のＬＥＤのうちの１つ以上のＬＥＤの上に光学素子１１０が結合され、光学素子１１０の存在が特定されてもよい。また、例えば図３を参照して、光学素子３１０及び／又は３１２がＬＥＤの表面３２０上に結合され、それらの存在が特定されてもよい。一部の実施形態では、ユーザーはＬＥＤの表面上の任意の所望の位置に光学素子を取り付けることができる。一部の実施形態では、１つ以上の光学素子の取り付け位置は指示されてもよい。一部の実施形態では、光学素子は、光学素子がＬＥＤの表面に付着することを可能にする接着剤を含み得る。例えば、粘着性ポリエステル及び／又はビニールが使用され、最小の残留物で光学素子を取り外すことを可能にし、オプションの他の表面への再接着を可能にしてもよい。
【００４８】
［００５６］一部の実施形態では、ＬＥＤの表面のＬＥＤのうちの１つ以上が光学素子を特定するために使用され得る。例えば、１つ以上のセンシングＬＥＤが感知した光量値が、かかるＬＥＤの上のＬＥＤ表面に光学素子が取り付けられているか否かを示し得る。一部の実施形態では、ＬＥＤ表面に光学素子が取り付けられているか否かを決定するために、１つ以上のＬＥＤが感知した少なくとも１つの光量値が、（例えば、経験的な及び／又は光学素子が存在しない較正モードで測定された）少なくとも１つ以上のベースライン光量値と比較されてもよい。例えば、一部の実施形態では、光学素子が取り付けられた１つ以上のＬＥＤにおいて感知された少なくとも１つの光量値が、光学素子が取り付けられる前のそれらのＬＥＤにおいて感知された１つ以上の光量値と比較されてもよい。
【００４９】
［００５７］例えば、光学素子の取り付け前にＬＥＤがセンシングモードで作動され、光学素子の取り付け前の少なくとも１つの第１の感知された光量値に基づき、ＬＥＤの第１の値が決定されてもよい。第１の感知された光量値は、センシングモードのＬＥＤに入射する他の光源からＬＥＤに向かう光及び／又はＬＥＤに入射する自然光からの光を感知し得る。また、光学素子の取り付け後にＬＥＤがセンシングモードで作動され、光学素子の取り付け後の少なくとも１つの第２の感知された光量値に基づき、ＬＥＤの第２の値が決定されてもよい。さもなければＬＥＤに入射していたであろう光の少なくとも一部を光学素子が遮るので、第２の感知された光量値はより少ない光を示し得る。ＬＥＤの上に光学素子が取り付けられているか否かを決定するために、第２の値が第１の値と比較され得る。例えば、第１の値と第２の値との間の差が閾値を満たす場合、ＬＥＤの上に光学素子が取り付けられていると決定することができる。
【００５０】
［００５８］また、例えば図３及び図４を参照して、一部の実施形態では、光学素子の存在の特定において、ＬＥＤの表面３２０の１つ以上のＬＥＤによって生成された光が、ＬＥＤの表面３２０の１つ以上の他のＬＥＤによって感知されてもよい。図３は、ＬＥＤの表面３２０上に結合された光学素子３１０及び３１２を示す。図４は、参照番号４によって特定される図３の一部の分解斜視図を示す。図４では、ＬＥＤの表面３２０の複数の層が互いに及び壁５から離れるよう分解されて示されている。光学素子３１０も、ＬＥＤの表面３２０の例の一部から離れるよう分解されて示されている。
【００５１】
［００５９］ＬＥＤの表面３２０は、第１のＬＥＤ層３２２、拡散層３２４、及び第２のＬＥＤ層３２６を含む。ＬＥＤの表面３２０は壁５又は他の表面に結合され得る。例えば、一部の実施形態では、第１のＬＥＤ層３２２は壁５に接着的に取り付けられてもよい。他の一部の実施形態では、第１のＬＥＤ層３２２は壁５と結合的に形成されてもよい。第１のＬＥＤ層３２２は複数のＬＥＤ３２３を含む。一部の実施形態では、ＬＥＤの間隔及び／又はパワーは、第１のＬＥＤ層３２２の上に拡散層３２４があるとき、実質的に均質な発光面を作り出せるようなものであってもよい。一部の実施形態では、拡散層３２４は、ＬＥＤ３２３によって生成された光出力を拡散する微小構造を有するプラスチックを含んでもよい。拡散層３２４は、第２のＬＥＤ層３２６の電気接続を可能にする電気接続及び／又はスルーウェイを含み得る。第２のＬＥＤ層３２６は複数のＬＥＤ３２７を含む。図示されるように、一部の実施形態では、ＬＥＤ３２７はＬＥＤ３２３よりも低密度であってもよい。一部の実施形態では、３２７によって表されるＬＥＤの個々のＬＥＤは、ＬＥＤ３２３の個々のＬＥＤよりも大きいルーメン出力を生成してもよい。一部の実施形態では、ＬＥＤ３２７は、ＬＥＤ３２３よりも指向性の光出力を生成するための光学素子を含み得る。
【００５２】
［００６０］ＬＥＤ３２３及び／又は３２７は、光学素子の存在を特定するためのセンシングＬＥＤとして使用され得る。例えば、一部の実施形態では、１つ以上のＬＥＤ３２３が光出力を供給し、ＬＥＤ３２７がセンシングモードで動作してＬＥＤ３２７にて受け取られる光出力を感知してもよい。あるＬＥＤ３２７にて受け取られるＬＥＤ３２３からの光出力は、ＬＥＤ３２７の上に物体が存在し、ＬＥＤ３２３からの光出力の一部をＬＥＤ３２７に向けて反射及び／又は屈折させていることを示し得る。例えば、ＬＥＤ３２７の上に光学素子３１２Ｃが配置される場合、光学素子３１０に入射するＬＥＤ３２３からの光出力の少なくとも一部が、ＬＥＤ３２７に向けて反射され得る。一部の実施形態では、光をＬＥＤ３２７に向けて反対に方向転換させるのを助けるために、ＬＥＤの表面に面する光学素子３１２Ｃの少なくとも一部は反射性であってもよい。一部の実施形態では、１つ以上のＬＥＤ３２７において感知された光量値が、対応するＬＥＤ３２７の上又は近隣に物体が存在しない場合に予期される光量値を示すベースライン光量値と比較されてもよい。一部の実施形態では、ＬＥＤ３２３によって生成される光は、そのような光を周囲光等の他の光と区別するために、コード化された光であってもよい。
【００５３】
［００６１］一部の実施形態では、光学素子の特定は、光学素子構成のユーザー指示に応じて開始されてもよい。例えば、ユーザーアクションが光学素子構成をトリガしてもよい。例えば、コントローラ１２０と通信するボタン又はユーザーインターフェイス（例えば、コントローラ１２０を収容するデバイス上、コントローラ１２０と通信するモバイル電子デバイス（例えばスマートフォン、タブレット）上、ＬＥＤベース照明ユニット１１０上の他のボタン）の作動が光学素子構成をトリガしてもよい。
【００５４】
［００６２］また、例えば、一部の実施形態では、光学素子構成を開始するために、近距離無線通信（ＮＦＣ）、ＲＦＩＤ（radio-frequency identification）タグ、並びに／又は他のＲＦデバイス及び／若しくは方法が、光学素子内に実装され及び／又は光学素子の設置と組み合わせて使用されてもよい。例えば、一部の実施形態では、１つ以上のＲＦＩＤリーダーがＬＥＤベース照明ユニット１３０内に組み込まれ、コントローラ１２０と通信してもよい。（例えば、光学素子１１０内に埋め込まれ及び／又は光学素子１１０を備える設置部材に含まれる）光学素子を示すＲＦＩＤタグが認識されると、コントローラ１２０は、ＬＥＤベース照明ユニット１３０の１つ以上のＬＥＤをセンシングモードで動作させ、感知された値に応じて、かかるＬＥＤ上に取り付けられた光学素子の存在を特定し得る。
【００５５】
［００６３］一部の実施形態では、ＬＥＤの表面のＬＥＤは間欠的に光センシングモードで動作し、（例えば、新しい光学素子との交換、又は既存の光学素子の再配置及び／若しくは再構成のための）新しい光学素子の取り付け及び／又は既存の光学素子の取り外しを監視してもよい。例えば、一部の実施形態では、ＬＥＤの表面の１つ以上の特定の領域が、光学素子の取り付けのために指定されてもよい。かかる領域の１つ以上のＬＥＤは、少なくとも間欠的に光出力を感知し、感知された値をコントローラに送ることにより、光学素子の取り付け及び／又は取り外しを認識するために使用することができる。
【００５６】
［００６４］一部の実施形態では、ＮＦＣ、ＲＦＩＤタグ、並びに／又は他のＲＦ装置及び／若しくは方法が、光学素子内に実装され及び／又は光学素子の設置と組み合わせて使用されてもよい。ＮＦＣ、ＲＦＩＤタグ、又は他のＲＦ信号は、１つ以上の覆われたＬＥＤの上の光学素子の存在を特定するために使用することができる。例えば、一部の実施形態では、１つ以上のＲＦＩＤリーダーがＬＥＤベース照明ユニット１３０内に組み込まれ、コントローラ１２０と通信してもよい。光学素子を示すＲＦＩＤタグの認識は、ＬＥＤベース照明ユニット１３０の１つ以上のＬＥＤの上に光学素子が設けられていることを決定するためにコントローラ１２０によって使用されてもよい。
【００５７】
［００６５］一部の実施形態では、光学素子の特定は、光学素子構成のユーザー指示に応じて開始されてもよい。例えば、ユーザーアクションが光学素子構成をトリガしてもよい。例えば、ＬＥＤの表面３２０のコントローラと通信するボタン又は他のインターフェイス要素の作動が、取り付け可能要素３１０Ａ〜Ｅ及び／又は３１７に係る取り付け可能要素構成をトリガしてもよい。
【００５８】
［００６６］一部の実施形態では、近距離無線通信（ＮＦＣ）、ＲＦＩＤ（radio-frequency identification）タグ、並びに／又は他のＲＦデバイス及び／若しくは方法が、光学素子内に実装され及び／又は光学素子の設置と組み合わせて使用されてもよい。ＲＦＩＤタグの認識が光学素子構成を開始してもよい。
【００５９】
［００６７］ステップ２０５において、光学素子は、光学素子が被せられる覆われたＬＥＤのうちの１つ以上と関連付けられる。一部の実施形態では、光学素子は、光学素子が被せられる覆われたＬＥＤの全てと関連付けられる。一部の実施形態では、光学素子は、光学素子の取り付け位置に基づき、覆われたＬＥＤと関連付けられる。例えば、図１を参照して、ＬＥＤベース照明ユニット１３０のＬＥＤ上の任意の位置に光学素子１１０が取り付けられると、光学素子１１０がＬＥＤベース照明ユニット１３０のＬＥＤと関連付けられてもよい。例えば、光学素子１１０は、ＬＥＤベース照明ユニット１３０の全てのＬＥＤの制御と関連付けられてもよい。また、例えば、ユーザー光学素子は、光学素子１１０が被せられるＬＥＤのうちの１つ以上に関連するＬＥＤベース照明ユニット１３０のＬＥＤのグループの制御と関連付けられてもよい。例えば、光学素子１１０が少なくとも第１のＬＥＤの上に配置されると、光学素子１１０は少なくとも第１のＬＥＤを含む第１のＬＥＤグループと関連付けられ、一方、光学素子１１０が少なくとも第２のＬＥＤの上に配置されると、光学素子１１０は少なくとも第２のＬＥＤを含む第２のＬＥＤグループと関連付けられてもよい。一部の実施形態では、光学素子が被せられるＬＥＤとの関連付けは、ＬＥＤがセンシングモードにある間に、光学素子が上に配置された１つ以上のＬＥＤによって光学素子がセンシングされることに基づいてもよい。
【００６０】
［００６８］一部の実施形態では、コントローラ１２０は、光学素子１１０と関連付けるＬＥＤを決定し、光学素子１１０に応じてそれらのＬＥＤの少なくとも１つの光出力特性を調整することを可能にするために、光学素子１１０が上に取り付けられたＬＥＤとＬＥＤベース照明ユニット１３０の他のＬＥＤとの間のマッピング（例えば、コントローラ１２０に関連付けられたメモリ内に保存）を参照してもよい。例えば、一部の実施形態では、光学素子１１０が被せられたＬＥＤが光学素子１１０と関連付けられ、追加のＬＥＤを光学素子１１０と関連付けるためにマッピングが参照されてもよい。例えば、光学素子１１０を囲うＬＥＤを特定するためにマッピングが参照され、光学素子１１０を囲うＬＥＤも光学素子１１０に関連付けられてもよい。また、例えば、光学素子１１０と他の光学素子との間に挟まれた１つ以上のＬＥＤを特定するためにマッピングが参照され、光学素子１１０と他の光学素子との間に挟まれたＬＥＤも光学素子１１０に関連付けられてもよい。
【００６１】
［００６９］一部の実施形態では、光学素子の所望の設置位置への取り付けの前及び／又は後に、覆われるＬＥＤの近傍に光学素子を配置することに基づき、光学素子が覆われるＬＥＤと関連付けられる。例えば、本明細書に記載されるように、一部の実装形態では、（例えばユーザーアクション及び／又は光学素子からのＲＦ信号の認識に応じて）光学素子構成が開始され得る。光学素子構成中、ユーザーは光学素子を所望のＬＥＤの近傍に配置することができる。光学素子が所望のＬＥＤの近傍に配置されると、ユーザーがかかるＬＥＤが光学素子と関連付けられることを望むことが指示され得る。
【００６２】
［００７０］一部の実施形態では、光学素子は、ユーザーがかかるＬＥＤを制御することを望むことを示すために、覆われたＬＥＤに関連付けられた１つ以上の対応するＲＦデバイスとインターフェイス接続可能なＮＦＣ、ＲＦＩＤタグ、及び／又は他のＲＦデバイスを含んでもよい。例えば、ＬＥＤベース照明ユニット１３０は、それぞれがＬＥＤベース照明ユニット１３０のＬＥＤグループに対応し、それぞれがコントローラ１２０と通信する複数のＲＦＩＤリーダーを含み得る。光学素子構成の開始後、ユーザーは光学素子１１０を制御が望まれるＬＥＤグループの近傍に配置し、光学素子１１０のＲＦＩＤタグがＲＦＩＤリーダーのうちの１つによって読み取られ、ＲＦＩＤタグが読み取られたことの指標がコントローラ１２０に供給され得る。これに応じて、コントローラ１２０は、ＲＦＩＤリーダーに関連付けられたＬＥＤを光学素子１１０と関連付けることができる。
【００６３】
［００７１］一部の実施形態では、光学素子構成中に光学素子が光学素子と関連付けられるべきＬＥＤの上に配置され、光学素子と関連付けられるべきＬＥＤのうちの１つ以上がセンシングモードで動作し、光学素子の存在を特定してもよい。例えば、光学素子構成の開始後、ユーザーは光学素子１１０と関連付けられることが望まれるＬＥＤグループの近傍に光学素子１１０を配置し、ＬＥＤのうちの１つ以上がセンシングモードで動作して光学素子１１０の存在を特定し、光学素子１１０の存在の指標がコントローラ１２０に供給され得る。これに応じて、コントローラ１２０は、ＬＥＤグループを光学素子１１０に関連付けることができる。その後、光学素子１１０はオプションで関連付けられたＬＥＤのうちの１つ以上の上に取り付けられてもよい。
【００６４】
［００７２］一部の実施形態では、光学素子を制御されるＬＥＤと関連付けるために、スマートフォン及び／又はタブレット等の電子デバイスが使用されてもよい。例えば、本明細書に記載されるように、一部の実装形態では、（例えばユーザーアクション及び／又はＲＦ信号の認識に応じて）光学素子構成が開始され得る。光学素子構成中、ユーザーは１つ以上のＬＥＤを光学素子と関連付けるために電子デバイスを使用することができる。例えば、光学素子１１０の取り付け後、コントローラ１２０は、光学素子１１０をＬＥＤのグループと関連付けるためにモバイル電子デバイスと通信し得る。モバイル電子デバイスは所定のグループの中からＬＥＤグループを選択し及び／又はグループを作成し得る。一部の実施形態では、制御されるＬＥＤのオプションをユーザーに示すために、ＬＥＤグループが点灯されてもよい。例えば、光学素子が取り付けられるとＬＥＤグループが順次点灯され、ユーザーは所望のＬＥＤグループが点灯されている間に電子デバイスを介してＬＥＤグループのうちの１つを選択することができる。
【００６５】
［００７３］一部の実施形態では、光学素子は、１つ以上の他の光学素子、及び／又は、他の光学素子が被せられた１つ以上のＬＥＤとの関連付けを介して、１つ以上のＬＥＤと関連付けられてもよい。例えば、一部の実施形態では、第１の光学素子が１つ以上の第１のＬＥＤの上に取り付けられて第１のＬＥＤのうちの１つ以上と関連付けられ、第２の光学素子が１つ以上の第２のＬＥＤの上に取り付けられて第２のＬＥＤのうちの１つ以上と関連付けられてもよい。第１及び／又は第２の光学素子が第１及び第２の光学素子間に挟まれたＬＥＤと関連付けられ、光学素子間の光効果を作り出してもよい。例えば、図７を参照して、５つの別々の光学素子７１０Ａ〜ＥがＬＥＤの表面７２０の上に取り付けられている。一連のＬＥＤ７１５ＡＥ、７１５ＡＢ、７１５ＡＣ、及び７１５ＡＤは光出力を生成しており、それぞれが光学素子７１０Ａと光学素子７１０Ｂ〜Ｅのうちの１つとの間に延在している。光出力を供給しているとき、一連のＬＥＤ７１５ＡＥ、７１５ＡＢ、７１５ＡＣ、及び７１５ＡＤは光学素子７１０Ａ〜Ｅを視覚的に結ぶことができる。一部の実施形態では、光学素子７１０Ａ〜Ｅが被せられたＬＥＤ間に位置するＬＥＤを特定するためのマッピングを参照することに基づき、一連のＬＥＤ７１５ＡＥ、７１５ＡＢ、７１５ＡＣ、及び７１５ＡＤが特定され、光学素子７１０Ａ〜Ｅの１つ以上と関連付けられる。一部の実施形態では、光学素子７１０Ａ〜Ｅの１つ以上によって覆われたＬＥＤは、オプションで、一連のＬＥＤ７１５ＡＥ、７１５ＡＢ、７１５ＡＣ、及び７１５ＡＤと合わせて光出力を供給してもよい。
【００６６】
［００７４］一部の実施形態では、１つ以上の光学素子を互いに関連付けることは、第１の光学素子の識別子と第２の光学素子の識別子との間の相関に基づき得る。光学素子の識別子の特定は、本明細書に記載される１つ以上の装置及び／又は方法等の１つ以上の装置又は方法に基づき得る。例えば、一部の実施形態では、光学素子の識別子を特定するためにＲＦＩＤ、ＮＦＣ、形状、及び／又は他の読み取りが使用され得る。一部の実施形態では、第１の光学素子の第２の光学素子との関連付けは、両者が取り付けられた時間の近さ及び／又は両者が取り付けられた位置の近さに基づき得る。例えば、光学素子は、位置的に最も近い追加の光学素子のうちの１つ以上と関連付けられてもよい。また、例えば、光学素子は、光学素子の前及び／又は後に時間的に最も近くに取り付けられた追加の光学素子のうちの１つ以上と関連付けられてもよい。
【００６７】
［００７５］また、例えば、第１の光学素子がＬＥＤ表面上に配置されると、第１の光学素子に関連付けられたＬＥＤ表面の部分がある時間（例えば、１分）フラッシュする構成フェーズが使用されてもよい。この時間中に追加の光学素子が第１の光学素子に関連付けられてもよい。これは、例えば、追加の光学素子を取り付けることによって達成され得る。第１の光学素子と追加の光学素子が関連付けられると、光学素子が互いに関連付けられたことを示すために、光学素子に関連付けられたＬＥＤ（例えば、光学素子の背後のＬＥＤ及び／又は光学素子の間に位置するＬＥＤ）が複数回フラッシュしてもよい。
【００６８】
［００７６］ステップ２１０において、光学素子の少なくとも１つの特性が特定される。特性は光学素子から特定可能な１つ以上の特性に基づき得る。一部の実施形態では、光学素子の特性は、設置位置及び／又は光学素子に関連付けられるＬＥＤによらず、同じであってもよい。一部の実施形態では、光学素子の特性は、例えば設置位置、光学素子に関連付けられるＬＥＤ、（１つ以上の）他の光学素子の位置及び／又は特性等、１つ以上の設置事項に少なくとも部分的に基づいてもよい。一部の実施形態では、光学素子の特性はユーザー入力に基づいてもよい。一部の実施形態では、コントローラは、光学素子に関連付けられた特性が、光学素子に関連付けられる光源によって達成可能かを検証し得る。
【００６９】
［００７７］一部の実施形態では、特性は、光学素子が被せられるＬＥＤに基づき特定される。例えば、複数のＬＥＤのうちのいずれが光学素子の存在を感知したかに基づき、光学素子の形状及び／又はサイズが決定されてもよい。形状及び／又はサイズは特定の特性を示してもよい。例えば、図３を参照して、光学素子３１０及び３１２の形状及び／又はサイズが、ＬＥＤ表面３２０のＬＥＤのうちのいずれがその上の光学素子３１０、３１２を感知したかに基づき決定され、形状及び／又はサイズは、光学素子の特性を示し得る。例えば、光学素子３１０の形状及びサイズは、光学素子３１０が、光出力を１つ以上の方向に方向付けるための１つ以上のレンズを含む、取り付け可能なレンズ要素であることを示し得る。例えば、取り付け可能なレンズ要素３１０は、自身が被せられるＬＥＤからの光出力を、ＬＥＤ表面３２０に隣接する他の表面に向けて方向付けるための複数の指向性レンズを含み得る。また、例えば、光学素子３１２の形状及びサイズは、それが、光学素子３１２が被せられるＬＥＤからのバックライティングを必要とするパッシブ及び／又はアクティブディスプレイを１つ以上含むフリーハンギングディスプレイ要素であることを示し得る。
【００７０】
［００７８］一部の実施形態では、取り付けられるとＬＥＤの表面に面する光学素子の表面の全体又は一部に不透明な面及び／又は反射面が設けられてもよい。このような表面は、ＬＥＤが光学素子の存在及び／又は１つ以上の特性を感知することを可能にし及び／又はその能力を向上させ得る。例えば、一部の実施形態では、反射面は、ＬＥＤの表面に被せられるとＬＥＤの表面内のＬＥＤによって感知可能な複数の反射面セクションを含んでもよい。反射面セクションの数、色、及び／又は配置は、光学素子の１つ以上の特性を示し得る。例えば、一部の実装形態では、反射面セクションは所定の配置コードに従って配置されてもよく、その所定の配置コードはＬＥＤによって感知され、特定の光学素子に対応すると特定される。例えば、正方形に配置された反射セクションは第１の光学素子に対応し、一方、三角形に配置された反射セクションは第２の光学素子に対応してもよい。また、例えば、一部の実装形態では、反射面セクションは、追加で及び／又は代替的に、ＬＥＤによって感知され、特定の光学素子を決定するために使用される１つ以上の色を含んでもよい。例えば、全て青色の反射セクションは第１の光学素子に対応し、一方、青色及び赤色反射セクションの組み合わせは第２の光学素子に対応してもよい。
【００７１】
［００７９］一部の実施形態では、どの他の光学素子が設けられているか及び／又は他の光学素子の位置に基づき、特性が特定される。例えば、光学素子７１０Ａ〜Ｅの形状及びサイズは、それらがそれぞれ、それらが被せられるＬＥＤからの光出力を各所望の方向に集中させる「スポットライト」型の光学素子であることを示し得る。５つの別々の光学素子７１０Ａ〜Ｅが存在し、及び／又は、５つの別々の光学素子７１０Ａ〜Ｅが互いに対して特定の配置で取り付けられていることの特定は、光学素子７１０Ａ〜Ｅの１つ以上が被せられている１つ以上のＬＥＤによって供給されるべき所望の光レベル及び／又は色を示し得る。例えば、光学素子７１０Ａ〜Ｅのうちの２つしか設けられていない場合の各光学素子に関連付けられた所望の光出力のレベルと比較して、５つ全てが設けられた場合の各光学素子７１０Ａ〜Ｅには、より低い所望の光出力のレベルが関連付けられてもよい。また、例えば、光学素子７１０Ａ〜Ｅのうちの１つしか設けられない場合、それが被せられたＬＥＤによって白色の光出力が供給されるべきだと示され、一方、複数の光学素子７１０Ａ〜Ｅが設けられる場合、それぞれが独自の色の光出力を供給すべきだと示されてもよい（オプションで、混合して所望のスポット位置に白色の光出力を形成する）。
【００７２】
［００８０］一部の実施形態では、光学素子がパッシブな光学素子の場合、光学素子の特性を特定するために光学素子の形状、サイズ、及び／又は配置が使用され得る。パッシブな光学素子は、電力を要さず、またオプションで、自己完結型特性伝達能力を有さない光学素子である。
【００７３】
［００８１］一部の実施形態では、特性は、光学素子のＲＦデバイスを介して特定可能な１つ以上の特性に基づき特定される。例えば、光学素子は、光学素子の１つ以上の特性の指標を提供するために、ＬＥＤに関連付けられた１つ以上の対応するＲＦデバイスとインターフェイス接続可能なＮＦＣ、ＲＦＩＤタグ、及び／又は他のＲＦデバイスを含み得る。例えば、ＲＦデバイスは、光学素子の対応する特性と関連付けられ得る可読コードを提供してもよい。例えば、ＬＥＤベース照明ユニット１３０は、コントローラ１２０と通信する１つ以上のＲＦＩＤリーダーを含み得る。光学素子構成の開始後、ＲＦＩＤリーダーのうちの１つによってユーザー光学素子１１０のＲＦＩＤタグが読み取られ、ＲＦＩＤタグに基づき、光学素子１１０の１つ以上の特性の指標がコントローラ１２０に供給され得る。これに応じて、コントローラ１２０は、光学素子１１０を１つ以上の指示された特性と関連付けることができる。
【００７４】
［００８２］また、例えば図７を参照して、光学素子７１２は、光学素子７１２が被せられるＬＥＤは光学素子７１２をバックライティングするために起動されるべきであり、光学素子７１２の周囲のＬＥＤは、光学素子７１２の周囲に照明リング７１７を供給するために起動されるべきことを示すＲＦＩＤタグを含んでもよい。要求される光源設定は光学素子を介して取得される情報に基づいてもよく、且つ／又は、対応する制御される光源の光源能力に基づいてもよい。
【００７５】
［００８３］一部の実施形態では、光学素子の１つ以上の特性の指標を提供するために、スマートフォン及び／又はタブレット等の電子デバイスが使用され得る。例えば、本明細書に記載されるように、一部の実装形態では、（例えばユーザーアクション及び／又はＲＦ信号の認識に応じて）光学素子構成が開始されてもよい。光学素子構成中、ユーザーは光学素子の１つ以上の特性を特定するために電子デバイスを使用することができる（例えば、電子デバイス上で光学素子を選択することにより、電子デバイスを用いて光学素子に関連付けられたＱＲコード（登録商標）をスキャンすることにより）。
【００７６】
［００８４］例えば、図７を参照して、コントローラは光学素子７１０Ａ〜Ｅの特性を特定するためにモバイル電子デバイスと通信してもよい。モバイル電子デバイスは、所定の特性の中から特性を選択し及び／又は特性を指定し得る。例えば、一部の実施形態では、光学素子７１０Ａ〜Ｅは、モバイル電子デバイス（例えば、モバイル電子デバイスのカメラ及び／又はモバイル電子デバイスのＮＦＣを介して）及びユーザーに提示される複数の所定の特性を使用して特定され得る。特性は、光学素子７１０Ａ〜Ｅの特定及び／又は光学素子７１０Ａ〜Ｅに応じて制御されるＬＥＤの能力に基づき得る。
【００７７】
［００８５］例えば、光学素子７１０Ａ〜Ｅのための第１の所定の特性は、各光学素子７１０Ａ〜Ｅが被せられるＬＥＤは、低い強度のバックライト光出力を供給すべきであり、一連のＬＥＤ７１５ＡＥ、７１５ＡＢ、７１５ＡＣ、及び７１５ＡＤは、それぞれ低い強度の拡散光出力を生成すべきことを示してもよい。また、例えば、光学素子７１０のための第２の所定の照明制御特性は、各光学素子７１０Ａ〜Ｅが被せられるＬＥＤは、高い強度のスポットライト光出力を供給すべきであり、一連のＬＥＤ７１５ＡＥ、７１５ＡＢ、７１５ＡＣ、及び７１５ＡＤのうちの選択されたものだけが光出力を生成すべきことを示してもよい。追加の及び／又は代替的な特性が定められてもよい。例えば、一部の特性では、一連のＬＥＤ７１５ＡＥ、７１５ＡＢ、７１５ＡＣ、及び７１５ＡＤのいずれも光出力を生成すべきではない。
【００７８】
［００８６］ステップ２１５において、ステップ２１０において特定された光学素子の特性に基づき、覆われたＬＥＤのうちの１つ以上のＬＥＤの少なくとも１つの特性が調整される。例えば、光学素子のサイズ及び／又は位置の特定に応じて、光学素子の背後の１つ以上のＬＥＤが光出力を生成するよう構成されてもよい。ＬＥＤは、光学素子が取り付けられる度に光出力を生成するよう構成されてもよく、且つ／又は、例えばＬＥＤを制御する１つ以上のスイッチ、ＬＥＤを制御するモバイルデバイス等の１つ以上のインターフェイス要素を介して、スケジュールに基づいて、及び／又は１つ以上のセンサからの入力に基づいて制御されてもよい（例えばＯＮ／ＯＦＦ、強度、色）。
【００７９】
［００８７］また、例えば、覆われたＬＥＤから望まれるある色温度を特定する光学素子の特性の特定に応じて、光学素子によって覆われたＬＥＤの色温度が所望の色温度と実質的に一致するよう調整されてもよい。また、例えば、覆われたＬＥＤから望まれるあるルーメン出力を特定する光学素子の特性の特定に応じて、所望の色温度と実質的に一致するよう、光学素子によって覆われたＬＥＤのうちの１つ以上のＬＥＤの輝度が調整され、且つ／又は、光学素子によって覆われたＬＥＤのうちの点灯されるＬＥＤの数が調整されてもよい。覆われたＬＥＤと通信する１つ以上のコントローラ及び／又はドライバが、ＬＥＤの上に光学素子が取り付けられることに基づくＬＥＤの調整を実施してもよい。
【００８０】
［００８８］また、例えば、高い強度の光出力を１つ以上の方向に方向付けるための１つ以上のレンズを含む取り付け可能なレンズ要素として光学素子３１０を特定する光学素子３１０の特性の特定に応じて、光学素子３１０によって覆われる第２のＬＥＤ層３２６の１つ以上のＬＥＤ３２７が光出力を供給してもよい。ＬＥＤ３２７のより高いパワーの光出力は、光学素子３１０を介する高い強度の方向付けられた光を供給するのにより適した光出力を供給し得る。オプションで、光学素子３１０によって覆われた第１のＬＥＤ層３２２の１つ以上のＬＥＤ３２３は、光出力を供給しなくてもよい。また、例えば、実質的に均質なバックライティングを望むフリーハンギングディスプレイとして光学素子３１２を特定する光学素子３１２の特性の特定に応じて、光学素子３１２によって覆われる第１のＬＥＤ層３２２の１つ以上のＬＥＤ３２３が光出力を供給してもよい。ＬＥＤ３２２のパワーがより低い光出力及び拡散層３２４は、光学素子３１２のためのバックライティングの提供により適した光出力を供給し得る。オプションで、光学素子３１２によって覆われる第２のＬＥＤ層３２６の１つ以上のＬＥＤ３２７は、光出力を供給しなくてもよい。
【００８１】
［００８９］一部の実施形態では、光学素子によって覆われない１つ以上のＬＥＤが、追加で及び／又は代替的に、光学素子の特性に基づき調整されてもよい。例えば、図７を参照して、ＬＥＤ７１５ＡＥは、光学素子７１０Ａ及び７１０Ｅの設置の特定に応じて光出力を供給し得る。また、例えば、照明リング７１７は、光学素子７１２の設置の特定に応じて、光出力を供給し得る。オプションで、光学素子７１２によって覆われる１つ以上のＬＥＤも光出力を供給してもよい。
【００８２】
［００９０］図５は、光学素子５１０の例の側面図を示す。光学素子５１０は、ＬＥＤの表面上に取り付け可能な平面を有する。また、光学素子５１０は、光学素子５１０が被せられるＬＥＤから光学素子５１０に入る光を光学素子５１０の外部に非対称な方向に方向付けるために非対称な形状を有する。
【００８３】
［００９１］追加の及び／又は代替的な光学素子が提供されてもよい。例えば、一部の実施形態では、特定の光効果を生じさせる半透明な装飾ステッカーが提供されてもよい。また、例えば、一部の実施形態では、光学素子は、光学素子が被せられる１つ以上のＬＥＤからの光を所望の方向に方向付けるために、追加で及び／又は代替的に、溝及び／又はスリット等の１つ以上の構造を含んでもよい。また、例えば、一部の実施形態では、光学素子は、光学素子が被せられる１つ以上のＬＥＤからの光を様々な方向に方向付けるために、追加で及び／又は代替的に、バリア及び／又はレンチキュラーレンズアレイを含んでもよい。また、例えば、一部の実施形態では、光学素子は、追加で及び／又は代替的に、光学素子が被せられる１つ以上のＬＥＤの光出力からメインの明るいスポットを作り出すよう成形されてもよく、更に、球面収差を含んでもよく、これは、光学素子が被せられる１つ以上のＬＥＤからの１つ以上の二次的な明るいリングをもたらす。二次的な明るいリングは、メインの明るいスポットの周囲に供給され得る。また、例えば、一部の実施形態では、光学素子は追加で及び／又は代替的に回析格子を含んでもよい。
【００８４】
［００９２］図６Ａ及び図６Ｂは、光出力を生成するＬＥＤ６３０上に設けられる光学素子の例のアラインメント部６１０を示す。一部の実施形態では、アラインメント部６１０は光学素子のアクティブディスプレイパネルによって生成され得る。例えば、アクティブ光学素子８１０のアクティブディスプレイパネル８１２は、ＬＥＤの表面上でのアクティブ光学素子８１０の位置合わせ中にアラインメント部６１０を生成してもよい。一部の実施形態では、アラインメント部６１０又は他のアラインメント表示は、光学素子がＬＥＤの表面上に結合され且つ／又は１つ以上の覆われたＬＥＤと関連付けられる構成フェーズ中に生成されてもよい。一部の実施形態では、アラインメント部６１０又は他のアラインメント部は、光学素子をＬＥＤ表面上の所望の位置に配置した後に取り外すことができる、光学素子上に設けられる取り外し可能なステッカー上に提供されてもよい。例えば、光学素子３１２をＬＥＤの表面３２０上に配置している間、アラインメント部６１０を有する透明なステッカーが光学素子３１２に取り外し可能に取り付けられてもよい。
【００８５】
［００９３］アラインメント部６１０は十字を有する円を含む。ＬＥＤ表面上のＬＥＤ６３０は視認できる光点を生成し、ユーザーがアラインメント部６１０を光点と最適に位置合わせすることを可能にする。例えば、ユーザーは、アラインメント部が図６Ａに示されるような位置から、光学素子６１０の最適なアラインメントを表す図６Ｂに示されるような位置まで動くよう、光学素子を移動させることができる。ＬＥＤ６３０はアラインメントＬＥＤとして表示され得る。例えば、ＬＥＤ６３０は、光学素子の配置中に点灯されるＬＥＤ表面の唯一のＬＥＤであってもよい。また、例えば、ＬＥＤ６３０は、それがアラインメントＬＥＤであることを示すために、光学素子の配置中に点滅してもよい。また、例えば、ＬＥＤ６３０は光学素子の配置中、ＬＥＤの表面の他のＬＥＤよりも高い又は低い強度の光出力を生成してもよい。光学素子の配置中、ＬＥＤ６３０に加えて追加のＬＥＤがオプションで使用されてもよい。例えば、それぞれが１つ以上のＬＥＤと位置合わせ可能な複数のアラインメント部６１０が提供されてもよい。一部の実施形態では、どのＬＥＤがアラインメントＬＥＤであるかは、ステップ２１０において特定される光学素子の１つ以上の特性に基づいてもよい。例えば、特定のアラインメントＬＥＤは、光学素子の特定された形状、サイズ、及び／又は他の特性に基づいてもよい。
【００８６】
［００９４］図８Ａは、アクティブディスプレイパネル８１２を有するアクティブ光学素子８１０の例を示す。図８Ｂは、図８Ａのアクティブ光学素子８１０のブロック図を示す。一部の実施形態では、アクティブディスプレイパネル８１２はＬＣＤディスプレイであってもよい。一部の実施形態では、アクティブディスプレイパネル８１２はＯＬＥＤディスプレイであってもよい。一部の実施形態では、アクティブディスプレイパネル８１２は双安定液晶ディスプレイであってもよい。一部の実施形態では、アクティブディスプレイパネル８１２はユーザーにアクティブなオーディオ及び／又はビデオを提供するために使用されてもよい。例えば、アクティブディスプレイパネル８１２はテレビ画面として使用されてもよい。また、例えば、アクティブディスプレイパネル光学素子８１２はバーチャルな窓及び／又は天窓として使用されてもよい。
【００８７】
［００９５］アクティブ光学素子８１０は、アクティブディスプレイパネル８１２に結合された少なくとも１つのコントローラ８２５を含む。コントローラ８２５は、アクティブディスプレイパネル８１２に表示されるコンテンツ出力を提供し得る。図８Ａの図では、コンテンツは、アクティブディスプレイパネル８１２上に表示されている３本の木を含む。一部の実施形態では、コンテンツ出力はコントローラ８２５に関連付けられたメモリ内に保存されたコンテンツに基づき得る。一部の実施形態では、コンテンツ出力は、Ｗｉ−Ｆｉ信号等の無線信号を介して受信されたコンテンツ、並びに／又は、ディスプレイパネル光学素子８１２が上に取り付けられたＬＥＤの表面からの及び／若しくは他のＬＥＤからのコード化された光出力に基づいてもよい。例えば、拡散板によって覆われず、アクセント又はスポット照明を作成するために通常使用されるＬＥＤの表面内に埋め込まれたＬＥＤ（図４のＬＥＤ３２７等）が、コントローラ８２５と通信する１つ以上のセンサにデータを送るために使用されてもよい。例えば、アクティブ光学素子８１０がＬＥＤ表面８２０に取り付けられ、アクティブディスプレイパネル８１２の周囲に設けられたフレーム８２０の背面上にセンサが設けられてもよい。フレーム８２０が被せられるＬＥＤ３２７は、フレーム８２０の背面上のセンサに符号化された光を送ることができる。アクティブディスプレイパネル８１２が被せられるＬＥＤ３２２により、アクティブディスプレイパネル８１２にバックライティングを供給することができる。
【００８８】
［００９６］一部の実施形態では、コンテンツ出力はＺｉｇｂｅｅ（登録商標）通信プロトコルにより受信されるコンテンツに基づいてもよい。一部の実施形態では、コンテンツはリフレッシュされるアクティブなコンテンツを含んでもよい（例えば２４０Ｈｚ、６０Ｈｚ、及び／又は他の周波数でリフレッシュされる）。コンテンツのリフレッシュレートは、表示されているコンテンツに依存し得る。例えば、アクティブディスプレイパネル光学素子８１２が動画を視聴するために使用されるときは、比較的ゆっくりと変化する屋外の景色が表示されるバーチャルな窓として使用されるときよりも高いリフレッシュレートを有することが望ましい可能性がある。
【００８９】
［００９７］電源８３０が、コントローラ８２０及びアクティブディスプレイパネル８１２に結合され、これらを給電する。一部の実施形態では、電源８３０は１つ以上のバッテリを含み得る。一部の実施形態では、バッテリは、アクティブディスプレイパネル８１２の周囲に設けられたフレーム８２０の背後にあり及び／又はフレーム８２０内に収容され得る。一部の実施形態では、電源８３０は、利用可能な光を取り込んでアクティブディスプレイパネル８１２、コントローラ８２５、及び／又はアクティブ光学素子８１０の他の電子機器（例えば、設けられた任意の通信電子機器）に給電する１つ以上の光捕集（light harvesting）パネルを含んでもよい。例えば、一部の実施形態では、アクティブ光学素子８１０が被せられる１つ以上のＬＥＤに光捕集パネルが面し、光捕集パネルを介してアクティブ光学素子８１０に給電するよう、ＬＥＤが少なくとも間欠的に駆動されてもよい。例えば、アクティブ光学素子８１０は、アクティブ光学素子８１０がＬＥＤの表面に取り付けられているときにフレーム８２０の背後で光出力を生成する１つ以上のＬＥＤから光を取り込む光捕集パネルをフレーム８２０の背面上に含み得る。一部の実施形態では、オプションで、任意の光捕集パネルがバッテリと合わせて設けられてもよく、オプションで、バッテリを充電してもよい。例えば、光捕集パネルは、アクティブディスプレイパネル８１２及び／又はアクティブ光学素子８１０の他の電子機器が使用されていないときにバッテリを充電し得る。また、例えば、追加で及び／又は代替的に、光捕集パネルは任意のバッテリを補完し、アクティブ光学素子８１０の１つ以上の側面の使用時にそれらの側面に直接給電するよう用いられてもよい。
【００９０】
［００９８］一部の実施形態では、電源８３０の構成は、アクティブ光学素子８１０の１つ以上の特性に基づいてもよい。例えば、一部の実施形態では、電源８３０の構成はアクティブディスプレイパネル８１２の電力消費に基づき得る。例えば、アクティブディスプレイパネル８１２がＬＣＤパネルである実施形態では、電源８３０の構成はＬＣＤパネルが消費する電力量に基づき得る。また、例えば、一部の実施形態では、電源８３０の構成は、コントローラ８２５及び／又は通信トランシーバ等、アクティブ光学素子８１０に関連付けられた他のコンポーネントの電力消費に基づき得る。
【００９１】
［００９９］一部の実施形態では、電源８３０は、アクティブディスプレイパネル８１２及び／又は関連電子機器に給電するために複数のリチウムポリマー電池を含み得る。複数のリチウムポリマー電池を結合することで、より高い電圧及び／又はより大きな容量が供給され得る。一部の実施形態では、必要な電池の量は、ディスプレイパネル光学素子８１２が給電され得る所望の時間の長さに基づき得る。例えば、単一の電池の電力密度を決定し、アクティブディスプレイパネル８１２及び関連電子機器の所望の稼働時間、並びにアクティブディスプレイパネル８１２及び関連電子機器の電力消費と比較して、必要な電池の量が計算されてもよい。
【００９２】
［００１００］一部の実施形態では、任意の電源８３０及び／又はアクティブディスプレイパネル光学素子８１２に関連する任意の他のコンポーネントがフレーム８２０によって覆われ得るよう、フレーム８２０のサイズが決定されてもよい。例えば、一部の実施形態では、電子機器及びバッテリはフレーム８２０内に収容され及び／又はフレーム８２０によって覆われてもよい。また、例えば、一部の実施形態では、フレーム８２０の背面に任意の光捕集パネルが設けられ、フレーム８２０によって覆われてもよい。
【００９３】
［００１０１］一部の実施形態では、アクティブディスプレイパネル８１２のためのバックライトを供給するのに必要な、光出力を生成しなければならないＬＥＤ表面上のＬＥＤの数及び／又はかかるＬＥＤの光出力強度は、アクティブディスプレイパネル８１２の１つ以上の特性に基づき得る。一部の実施形態では、このような１つ以上の特性は、ステップ２１０に関連して述べられたように、ＬＥＤの表面に関連付けられたコントローラによって特定され得る。例えば、一部の実施形態では、光出力を生成しなければならないＬＥＤ表面上のＬＥＤの数及び／又はかかるＬＥＤの光出力強度は、アクティブディスプレイパネル８１２の伝送効率に基づき得る。また、例えば、一部の実施形態では、光出力を生成しなければならないＬＥＤ表面上のＬＥＤの数及び／又はかかるＬＥＤの光出力強度は、アクティブ光学素子８１０の１つ以上の特性に基づき特定される１つ以上の目標値に基づいてもよい。
【００９４】
［００１０２］一部の実施形態では、ＬＥＤの表面上のアクティブ光学素子８１０の存在は、ステップ２００に関連して本明細書で説明されたように検出されてもよい。例えば、アクティブ光学素子８１０は、ＬＥＤ表面の１つ以上の光出力ＬＥＤからの光出力のアクティブ光学素子８１０からセンシングＬＥＤへの反射に基づき、ＬＥＤ表面の１つ以上のセンシングＬＥＤによって検出されてもよい。一部の実施形態では、ＬＥＤの表面上のアクティブ光学素子８１０の存在は、本明細書で説明されるような、ユーザーによって指示される構成フェーズに応じて検出されてもよい。例えば、ユーザーは、アクティブ光学素子８１０を初めて設置し及び／又はアクティブ光学素子８１０を新たな位置に移動させることを望むことを示し得る。これは、ＬＥＤ表面内のＬＥＤが低レベルのパルス光信号を発するコミッショニングフェーズにシステムを移行させ得る。パルス光信号の周波数は、ユーザーによって知覚されないよう選択されてもよい。コミッショニングフェーズ中に（例えば、図４に関連して述べられたような）第２のＬＥＤ層をセンサとして使用することにより、アクティブ光学素子８１０から反射されたパルス光を検出することができる。この反射信号は、ＬＥＤ表面に物体が取り付けられている場所では顕著に大きくなる。この反射信号の強度は、ＬＥＤ表面に取り付けられた物体の配置を決定するために使用することができる。全ての静止物体が検出されると、システムはこれをユーザーが知覚可能な低い周波数のパルス信号によって示し得る（例えば、１つ以上のＬＥＤが複数回点滅する）。ユーザーはこれを見た後、ＬＥＤ表面上の所望の位置にアクティブ光学素子８１０を設置することができる。設置した後、ユーザーはこれをシステムに示し、システムは再び第２のＬＥＤ層をセンサとして使用し、先に検出された物体と新たに検出された物体とを比較して、ＬＥＤ表面上のアクティブ光学素子８１０の位置を決定し得る。アクティブ光学素子８１０の存在及び／又はサイズ等のアクティブ光学素子８１０の１つ以上の特性を特定するために追加の及び／又は代替的なステップが使用されてもよい。例えば、図２の方法に関連して本明細書で説明されたステップの１つ以上がオプションで使用されてもよい。
【００９５】
［００１０３］一部の実施形態では、構造的な（半永久的な）固定方法（例えば、穴をあける）を要さない、アクティブ光学素子８１０のための貼り付け方法及び／又は装置が選択されてもよい。一部の実施形態では、貼り付け方法及び／又は装置は、アクティブ光学素子８１０の重量及び／又はフレーム８２０の背面の全体若しくは一部等の貼り付け面のサイズに基づき得る。例えば、一部の実施形態では、アクティブディスプレイ要素８１２は、対角約５２”のＬＣＤシートであり、フレーム８２０は、ディスプレイ要素８１２の端からフレーム８２０の端まで約２ｃｍであり得る。要求される接着強度は、フレーム８２０の表面積及びアクティブ光学素子８１０の重量に基づき決定され得る。例えば、接着剤がフレーム８２０の背面の全体又は一部に付けられる場合、２ｃｍのフレーム８２０を有する５２”アクティブディスプレイ要素８１２は、少なくとも１４ｋｇ／ｍ２又は約１４０Ｎ／ｍ２の接着力を有する接着剤を要すると決定され得る。他の接着剤及び／又は他の貼り付け剤が使用されてもよい。接着剤の強度は、例えばアクティブ光学素子８１０の重量及び／又は所望の接着の強固さに依存して上下し得る。
【００９６】
［００１０４］一部の実施形態では、（例えば、アクティブディスプレイパネル及び／又は１つ以上のアクティブな通信電子機器のために）電力を使用する光学素子は、少なくとも部分的に誘導的に給電されてもよい。例えば、光学素子が上に取り付けられるＬＥＤ表面内に小さいコイルが埋め込まれ、光学素子に誘導給電するために使用されてもよい。また、例えば、一部の実施形態では、光学素子は容量的に給電されてもよい。例えば、光学素子に給電するために電磁場が使用されてもよい。光学素子が電力を必要とする場合、光学素子に給電するために追加の及び／又は代替的な装置及び方法が使用され得る。一部の実施形態では、これらの装置及び／又は方法は、商用電源への接続を要するか否かによらず、光学素子の給電を可能にし得る。
【００９７】
［００１０５］本発明の幾つかの実施形態が本明細書に記載され解説されてきたが、本明細書に記載の機能を実行するための及び／又は本明細書に記載の結果及び／又は利点の１つ若しくは複数を得るための、多岐にわたる他の手段及び／又は構造を当業者なら容易に思い付き、かかる改変形態及び／又は修正形態のそれぞれは、本明細書に記載の本発明の実施形態の範囲に含まれると見なされる。より一般的には、当業者は本明細書に記載の全てのパラメータ、寸法、材料、及び構成が例示的であることを意図し、実際のパラメータ、寸法、材料、及び／又は構成は本発明の教示が使用される具体的応用に依拠することを容易に理解する。当業者は、本明細書に記載の本発明の特定の実施形態に対する多くの均等物を、通常の実験のみを使用することで理解し又は確認することができる。従って、上記の実施形態は例として示されているに過ぎず、添付の特許請求の範囲及びその均等物の範囲内で、本発明の実施形態が、具体的に記載され請求されている以外の方法で実施されても良いことが理解されるべきである。本開示の発明に関する実施形態は、本明細書に記載の個々の特徴、システム、物品、材料、キット、及び／又は方法を対象とする。更に、かかる特徴、システム、物品、材料、キット、及び／又は方法が互いに矛盾しない場合、２つ以上のかかる特徴、システム、物品、材料、キット、及び／又は方法の任意の組合せが本開示の発明の範囲に含まれる。
【００９８】
［００１０６］本明細書にて定義され且つ用いられた定義はすべて、辞書の定義、参照することにより組み込まれた文献における定義、及び／又は、定義された用語の通常の意味に優先すると理解されるべきである。
【００９９】
［００１０７］本明細書及び特許請求の範囲にて使用される「ａ」及び「ａｎ」の不定冠詞は、特に明記されない限り、「少なくとも１つ」を意味するものと理解されるべきである。
【０１００】
［００１０８］本明細書及び特許請求の範囲で使用されるとき、「及び／又は」という語句は、そのように結合される要素の「いずれか又は両方」、すなわち場合によっては結合的に存在し、他の場合は分離的に存在する要素を意味すると理解されるべきである。「及び／又は」を用いて挙げられる複数の要素も同様に、すなわちそのように結合される要素の「１つ又は複数」として解釈されるべきである。「及び／又は」の節によって具体的に特定される要素以外の要素が、具体的に特定される要素に関係していようといまいと任意選択的に含まれても良い。従って、非限定的な例として、「含む」などの非制限的言語と組み合わせて使用されるとき、「Ａ及び／又はＢ」への言及は一実施形態ではＡだけを指し（Ｂ以外の要素を任意選択的に含む）、別の実施形態ではＢだけを指し（Ａ以外の要素を任意選択的に含む）、更に別の実施形態ではＡとＢの両方（他の要素を任意選択的に含む）等を指すことができる。
【０１０１】
［００１０９］本明細書及び特許請求の範囲において、「又は」は、上記で定義した「及び／又は」と同じ意味を有すると理解されるべきである。例えば、列挙される項目を分けるとき、「又は」又は「及び／又は」は包括的であると解釈されるべきであり、つまり、複数の又は列挙される要素の少なくとも１つ及び２つ以上、並びに、任意で、追加の列挙されていない項目を含む。明確に反する用語、例えば「１つのみ」若しくは「ただ１つ」、又は特許請求の範囲で使用される場合の「〜からなる」等のみが複数の又は列挙される要素のうちのただ１つの要素を含むことを意味する。通常、本明細書で使用される場合、用語「又は」は、「どちらかの」、「〜のうちの１つ」、「〜のうちの１つのみ」、又は「〜のうちのちょうど１つ」等の排他的な用語を伴う場合にのみ排他的選択肢（すなわち、「両方ではなくどちらか一方」）を指すと解されるべきである。特許請求の範囲において使用される場合、「本質的に〜からなる」は、特許法の分野において使用される通常の意味を有するであろう。
【０１０２】
［００１１０］本明細書及び特許請求の範囲において、１つ以上の要素の列挙に関連する語句「少なくとも１つ」は、要素の列挙内の任意の１つ以上の要素から選択される少なくとも１つの要素を意味すると理解されるべきであり、必ずしも要素の列挙内に具体的に列挙される全ての要素を少なくとも１つ含まず、要素の列挙内の要素のあらゆる組み合わせを除外しない。また、この定義は、語句「少なくとも１つ」が指す要素の列挙内に具体的に特定される要素以外の要素が任意で存在し得ることを許容し、具体的に特定される要素に関係しても無関係でもよい。したがって、非限定的な例として、一実施形態において、「Ａ及びＢの少なくとも１つ」（又は、同等に、「Ａ又はＢの少なくとも１つ」若しくは「Ａ及び／又はＢの少なくとも１つ」）は、Ｂが存在せず、少なくとも１つの、任意で２つ以上のＡを指し（任意でＢ以外の要素を含む）、他の実施形態においては、Ａが存在せず、少なくとも１つの、任意で２つ以上のＢを指し（任意でＡ以外の要素を含む）、他の実施形態においては、少なくとも１つの、任意で２つ以上のＡ、及び少なくとも１つの、任意で２つ以上のＢを指し得る（任意で他の要素を含む）。
【０１０３】
［００１１１］更に、特に明記されない限り、本明細書に記載された２つ以上のステップ又は動作を含むどの方法においても、当該方法のステップ又は動作の順番は、記載された方法のステップ又は動作の順序に必ずしも限定されないことを理解すべきである。
【０１０４】
［００１１２］請求項において、括弧内の任意の参照符号は、便宜上、提供されているに過ぎず、当該請求項をいかようにも限定することを意図していない。
【０１０５】
［００１１３］特許請求の範囲においても上記明細書においても、「備える」、「含む」、「運ぶ」、「有する」、「含有する」、「関与する」、「保持する」、「〜から構成される」等といったあらゆる移行句は、非制限的、すなわち、含むがそれに限定されないことを意味すると理解すべきである。米国特許庁特許審査手続便覧の第２１１１．０３項に記載される通り、「〜からなる」及び「本質的に〜からなる」といった移行句のみが、制限又は半制限移行句である。
【図３】
2016510493.tif 000003
【図４】
2016510493.tif 000004
【図５】
2016510493.tif 000005
【図６Ａ】
2016510493.tif 000006
【図６Ｂ】
2016510493.tif 000007
【図７】
2016510493.tif 000008
【図８Ａ】
2016510493.tif 000009
【図１】
2016510493.tif 000010
【図２】
2016510493.tif 000011
【図８Ｂ】
2016510493.tif 000012
【手続補正書】
【提出日】平成27年8月14日(2015.8.14)
【手続補正１】
【補正対象書類名】特許請求の範囲
【補正対象項目名】全文
【補正方法】変更
【補正の内容】
【特許請求の範囲】
【請求項１】
光学素子を少なくとも１つの光源と関連付ける方法であって、
複数のＬＥＤのうちの１つ以上の覆われたＬＥＤの上の光学素子の存在を特定するステップと、
前記光学素子を前記覆われたＬＥＤのうちの１つ以上のＬＥＤと関連付けるステップと、
前記光学素子の少なくとも１つの特性を特定するステップと、
前記光学素子の前記特性に基づき、前記関連付けられた覆われたＬＥＤのうちの、１つ以上のＬＥＤの少なくとも１つの照明特性を調整するステップと
を含む、方法。
【請求項２】
前記光学素子の特性を特定する前記ステップは、前記覆われたＬＥＤのうちの少なくとも１つのＬＥＤを介する前記光学素子の少なくとも１つの物理的特性のセンシングに基づく、請求項１に記載の方法。
【請求項３】
前記物理的特性は、前記光学素子のサイズ及び形状のうちの少なくとも１つを含む、請求項２に記載の方法。
【請求項４】
前記複数のＬＥＤのうちの１つ以上の追加のＬＥＤの少なくとも１つの照明特性を調整するステップを更に含み、前記追加のＬＥＤは前記光学素子によって覆われていない、請求項１に記載の方法。
【請求項５】
前記追加のＬＥＤは、前記光学素子の前記追加のＬＥＤへの近さに基づき特定される、請求項４に記載の方法。
【請求項６】
前記光学素子の前記特定された少なくとも１つの特性に基づき前記追加のＬＥＤを特定するステップを更に含む、請求項４に記載の方法。
【請求項７】
前記ＬＥＤのうちの覆われた第２のＬＥＤに被せられる少なくとも１つの追加の光学素子の位置に基づき前記追加のＬＥＤを特定するステップを更に含み、前記覆われた第２のＬＥＤは前記覆われたＬＥＤとは異なる、請求項４に記載の方法。
【請求項８】
前記光学素子は指向性光学素子であり、前記関連付けられた覆われたＬＥＤからの光出力を目標方向に方向付ける、請求項１に記載の方法。
【請求項９】
前記関連付けられた覆われたＬＥＤのうちの少なくとも一部の光出力は、前記光学素子に給電するために取り込まれる、請求項１に記載の方法。
【請求項１０】
アクティブディスプレイパネルと、
前記アクティブディスプレイパネルに結合され、前記アクティブディスプレイパネルにコンテンツ出力を提供する少なくとも１つのコントローラと、
前記アクティブディスプレイパネルに電気接続して給電する電源と
を含む、アクティブ光学素子であって、
前記アクティブ光学素子は、複数のＬＥＤの表面上に取り外し可能に取り付け可能であり、
前記アクティブ光学素子は、少なくとも１つの特定可能な特性を有し、前記特定可能な特性は、前記アクティブディスプレイパネルが前記ＬＥＤのうちの覆われたＬＥＤの上に取り外し可能に取り付けられるとき、１つ以上の前記覆われたＬＥＤの少なくとも１つの照明特性を調整するために使用される、アクティブ光学素子。
【請求項１１】
前記電源は、前記アクティブディスプレイパネルが前記覆われたＬＥＤの上に取り外し可能に取り付けられるとき、前記覆われたＬＥＤのうちの１つ以上のＬＥＤからの光出力を受け取る少なくとも１つの光捕集パネルを含む、請求項１０に記載のアクティブ光学素子。
【請求項１２】
前記光捕集パネルは、前記アクティブディスプレイパネルが前記覆われたＬＥＤの上に取り外し可能に取り付けられるとき、前記覆われたＬＥＤに面する、請求項１１に記載のアクティブ光学素子。
【請求項１３】
前記アクティブディスプレイパネルを囲い、前記電源を覆うフレームを更に含む、請求項１０に記載のアクティブ光学素子。
【請求項１４】
前記フレームは前記電源を収容する、請求項１３に記載のアクティブ光学素子。
【請求項１５】
少なくとも１つの調整可能な照明特性を有する照明を生成する少なくとも１つの光源と、
光学素子の存在を感知可能な少なくとも１つのセンシングＬＥＤと、
前記光源及び前記センシングＬＥＤと電気通信する少なくとも１つのコントローラと
を含む、照明システムであって、
前記少なくとも１つのコントローラは、
複数のＬＥＤのうちの１つ以上の覆われたＬＥＤの上の光学素子の存在を特定し、
前記光学素子を前記覆われたＬＥＤのうちの１つ以上のＬＥＤと関連付け、
前記光学素子の少なくとも１つの特性を特定し、
前記光学素子の前記特性に基づき、前記関連付けられた覆われたＬＥＤのうちの、１つ以上のＬＥＤの少なくとも１つの照明特性を調整する、照明システム。
【国際調査報告】
2016510493.tif 000013
2016510493.tif 000014